(57)【特許請求の範囲】
【請求項１】
一本の画線を万線（ｆ）と潜像画線（ｇ）で構成し、前記一本の画線を縦方向に一定間隔で複数本配置し、最下部画線に対して横方向に一定距離ずつ移動した潜像模様形成体であって、
前記潜像画線（ｇ）は横画線と任意の方向の斜め画線からなり、
前記斜め画線とほぼ同一方向で前記潜像模様形成体を観察すると潜像が確認されることを特徴とする潜像模様形成体。
【請求項２】
一本の画線を万線（ｆ）と潜像画線（ｇ）で構成し、前記一本の画線を縦方向に一定間隔で複数本配置し、最下部画線に対して横方向に一定距離ずつ移動した第１の潜像模様形成体であって、
前記潜像画線（ｇ）は横画線と任意の方向の第１の斜め画線からなる第１の潜像模様形成体と、
一本の画線を万線（ｆ）と潜像画線（ｇ）で構成し、該一本の画線を縦方向に一定間隔で複数本配置し、最下部画線に対して前記第１の潜像模様形成体の前記横方向と反対方向に一定距離ずつ移動した第２の潜像模様形成体であって、
第２の潜像模様形成体の前記潜像画線（ｇ）は、横画線と前記第１の斜め画線の任意の方向とは異なる方向の第２の斜め画線からなる第２の潜像模様形成体と、
を合成することにより、
前記第１の斜め画線とほぼ同一方向と、前記第２の斜め画線とほぼ同一方向から前記潜像模様形成体を観察すると異なる潜像が確認されることを特徴とする潜像模様形成体。
【請求項３】
一本の画線を万線（ｆ）と潜像画線（ｇ）で構成し、前記一本の画線を縦方向に一定間隔で複数本配置し、最下部画線に対して横方向に一定距離ずつ移動した第１の潜像模様形成体であって、
前記潜像画線（ｇ）は横画線と任意の方向の第１の斜め画線からなる第１の潜像模様形成体と、
一本の画線を万線（ｆ）と潜像画線（ｇ）で構成し、該一本の画線を縦方向に一定間隔で複数本配置し、最下部画線に対して前記第１の潜像模様形成体の前記横方向と反対方向に一定距離ずつ移動した第２の潜像模様形成体であって、
第２の潜像模様形成体の前記潜像画線（ｇ）は、横画線と前記第１の斜め画線の任意の方向とは異なる方向の第２の斜め画線からなる第２の潜像模様形成体と、
一本の画線を万線（ｆ）と潜像画線（ｇ）で構成し、前記一本の画線を縦方向に一定間隔で複数本配置した第３の潜像模様形成体であって、
第３の潜像模様形成体の前記潜像画線（ｇ）は、横画線と前記横画線に対して垂直方向の垂直万線からなる第３の潜像模様形成体と、
を合成することにより、
前記第１の斜め画線とほぼ同一方向と、前記第２の斜め画線とほぼ同一方向と、前記垂直万線とほぼ同一方向から前記潜像模様形成体を観察すると異なる潜像が確認されることを特徴とする潜像模様形成体。
【発明の詳細な説明】
【０００１】
【発明の属する技術分野】
この発明は、銀行券、パスポート、有価証券、カード、貴重印刷物などの偽造防止及び改竄防止が必要とされる印刷分野に利用されるものである。
【０００２】
【従来の技術】
従来この種の印刷物に使用されている潜像模様は、水平万線と垂直万線の構成で模様を生成し、またそれは凹版インキの盛り上がりを併用するものもある。それは、潜像を観察する角度を変化させることによって、万線ピッチが圧縮されて見えるところと、圧縮されないところができて、それらが画像に濃淡を与え、潜像が発現するものである。
【０００３】
【発明が解決しようとする課題】
前記の従来の技術で述べたような潜像模様は、一つの模様中に発現する潜像が一種類に限定されることと、観察できる方向が一方向に限定されるという欠点がある。この発明はそのような従来の技術の欠点を解決することを目的とする。
【０００４】
本発明の潜像画像形成体は、一本の画線を万線（ｆ）と潜像画線（ｇ）で構成し、前記一本の画線を縦方向に一定間隔で複数本配置し、最下部画線に対して横方向に一定距離ずつ移動した潜像模様形成体であって、前記潜像画線（ｇ）は横画線と任意の方向の斜め画線からなり、前記斜め画線とほぼ同一方向で前記潜像模様形成体を観察すると潜像が確認されることを特徴とする。
また、本発明の潜像画像形成体は、一本の画線を万線（ｆ）と潜像画線（ｇ）で構成し、前記一本の画線を縦方向に一定間隔で複数本配置し、最下部画線に対して横方向に一定距離ずつ移動した第１の潜像模様形成体であって、前記潜像画線（ｇ）は横画線と任意の方向の第１の斜め画線からなる第１の潜像模様形成体と、一本の画線を万線（ｆ）と潜像画線（ｇ）で構成し、該一本の画線を縦方向に一定間隔で複数本配置し、最下部画線に対して前記第１の潜像模様形成体の前記横方向と反対方向に一定距離ずつ移動した第２の潜像模様形成体であって、第２の潜像模様形成体の前記潜像画線（ｇ）は、横画線と前記第１の斜め画線の任意の方向とは異なる方向の第２の斜め画線からなる第２の潜像模様形成体と、を合成することにより、前記第１の斜め画線とほぼ同一方向と、前記第２の斜め画線とほぼ同一方向から前記潜像模様形成体を観察すると異なる潜像が確認されることを特徴とする。
さらに本発明の潜像画像形成体は、一本の画線を万線（ｆ）と潜像画線（ｇ）で構成し、前記一本の画線を縦方向に一定間隔で複数本配置し、最下部画線に対して横方向に一定距離ずつ移動した第１の潜像模様形成体であって、前記潜像画線（ｇ）は、横画線と任意の方向の第１の斜め画線からなる第１の潜像模様形成体と、一本の画線を万線（ｆ）と潜像画線（ｇ）で構成し、該一本の画線を縦方向に一定間隔で複数本配置し、最下部画線に対して前記第１の潜像模様形成体の前記横方向と反対方向に一定距離ずつ移動した第２の潜像模様形成体であって、第２の潜像模様形成体の前記潜像画線（ｇ）は、横画線と前記第１の斜め画線の任意の方向とは異なる方向の第２の斜め画線からなる第２の潜像模様形成体と、一本の画線を万線（ｆ）と潜像画線（ｇ）で構成し、前記一本の画線を縦方向に一定間隔で複数本配置した第３の潜像模様形成体であって、第３の潜像模様形成体の前記潜像画線（ｇ）は、横画線と前記横画線に対して垂直方向の垂直万線からなる第３の潜像模様形成体と、を合成することにより、前記第１の斜め画線とほぼ同一方向と、前記第２の斜め画線とほぼ同一方向と、前記垂直万線とほぼ同一方向から前記潜像模様形成体を観察すると異なる潜像が確認されることを特徴とする。
【０００５】
【発明の実施の形態】
この発明は従来のように水平万線群と、それに直交する画線群だけではなく、直交以外の任意の角度で、前記水平万線群に交差する二つ以上の線分群で構成する潜像模様形成体であって、一つの模様中に二つ以上の潜像を組み込むことが可能となるとともに、観察する方向が一方向に限定されない潜像模様形成体である。
【０００６】
【実施例】
図１（ａ）は従来の例であり、それとの比較においてこの発明の実施例１を述べる。すなわち図１（ａ）に示すように、水平万線群（線数Ｌ／インチ）中の水平万線（１）上に、潜像となる垂直万線（２）および水平万線（１）に連続して上、下する水平万線（１’）を付与し、これらを同様もしくは、変化させて配列することにより、潜像画像（Ａ）が形成される。この潜像画像（Ａ）の確認は、図１（ａ）の矢印Ｙの方向から行い、この図ではアルファベットの“Ｇ”が表現されている。これを図１（ｂ）に示すように、これらの画線［水平万線（１）、（１’）と垂直万線（２）によってそれぞれ適宜形成される］の各画線毎にΔｘずつ移動する。
【０００７】
すなわち最下部の画線から順次上に、０，１，２・・・・，１０としたとき、０はそのまま、１は０を基準に図示右横方向にΔｘ移動する、２は１を基準に同様にΔｘ移動する、以下同様に移動し最後に１０は９を基準にΔｘ移動する。このとき、図１（ｄ）に示すように、画線ピッチ量をΔｙとする。また、画線上の成分は図１（ｃ）に示すように万線［万線そのまま］を表す線（ｆ）と、潜像画像となる成分の線（ｇ）［図示太い線］の二通りに区分する。そして図１（ｄ）に示すようにΔｘ、Δｙから交差角θ及び交差直線Δｚが決定される。さらに図１（ｅ）に示すように、万線（ｆ）上の矢印Ｘ方向の潜像画像となる成分の線（ｇ）をΔｘ’だけ移動した潜像模様形成体（Ｅ１）を作成する。これを垂直方向から観察すると潜像の確認はできないが、斜めから観察するとアルファベットの“Ｇ”が確認される。
【０００８】
つぎに図２（ａ）は従来の例であり、それとの比較においてこの発明の実施例２を述べる。すなわち図２（ａ）に示すように、水平万線群（線数Ｌ／インチ）中の水平万線（１）上に、潜像となる垂直万線（２）および水平万線（１）に連続して上、下する水平万線（１’）を付加し、これらを同様もしくは、変化させて配列することにより潜像画像（Ａ’）が形成される。この潜像画像（Ａ’）の確認は、図２（ａ）の矢印Ｙの方向から行い、この図ではアルファベットの“Ｎ”が表現されている。これを図２（ｂ）に示すように、この画線の画線毎に−Δｘずつ移動する。すなわち最下部の線分から順次上０，１，２・・・・，１０としたとき、０はそのまま、１は０を基準に図示左横方向に、−Δｘ移動する、２は１を基準に同様に−Δｘ移動する、以下同様に移動し最後に１０は９を基準に−Δｘ移動する。このとき、図２（ｄ）に示すように、画線ピッチ量をΔｙとする。
【０００９】
また、画線上の成分は図２（ｃ）に示すように万線を表す線（ｆ）と、潜像画像となる成分の線（ｇ）［図示太い線］の二通りに区分する。そして図２（ｄ）に示すようにΔｘ’、Δｙから交差角θ’および交差直線Δｚが決定される。さらに図２（ｅ）に示すように、万線上のＸ方向の潜像となる成分の線（ｇ）を−Δｘ’だけ移動した潜像模様形成体（Ｅ２）を作成し、これを垂直方向から観察すると潜像の確認はできないが、斜めから観察するとアルファベットの“Ｎ”が確認される。
【００１０】
実施例３として、図３で示すように、前述の実施例１と、実施例２で述べた潜像模様形成体（Ｅ１）、（Ｅ２）を任意の位置で合成させた潜像模様形成体（Ｅ３）を作成し、これを垂直方向から観察すると潜像は確認できないが、斜めから観察するとアルファベットの“Ｇ”と、“Ｎ”の二種類の潜像が斜めに交差して確認できる。
【００１１】
実施例４として図４（ｅ）に示すように水平万線（１）上に、潜像となる垂直万線（２）及び水平万線（１’）を付加し、これを同様もしくは、変化させて配列することにより従来の手法により潜像画像（Ａ″）が形成される。この潜像画像（Ａ″）に、前記実施例３の潜像模様形成体（Ｅ３）を任意の位置で合成させたのが図４（ｂ）である。この三種類を合成した潜像模様形成体（Ｅ４）を垂直方向から観察すると、アルファベットの“Ｏ”が確認できる。また斜めから観察すると、アルファベットの“Ｇ”と“Ｎ”が確認でき、合計で三種類の潜像が見えることとなる。
【００１２】
【発明の効果】
この発明は従来のように水平万線群と、それに直交する画線群で構成される潜像画像だけではなく、直交以外の任意の角度で、前記角万線群に交差する二つ以上の線分群で構成する潜像画像として、一つの模様中に二つ以上の潜像を組み込むことが可能となるとともに、観察する方向が一方向に限定されることがなく、多方向からそれを見ることを可能とする特徴を併せ持つ潜像模様形成体となるものである。
【図面の簡単な説明】
【図１】この発明の実施例の構成を、従来の潜像画像と比較して説明する図。
【図２】この発明の他の実施例の構成を、従来の潜像画像と比較して説明する図。
【図３】図１と図２の実施例を組み合わせたところの、この発明の潜像模様形成体の実施例３を説明する図。
【図４】図３の実施例３と、従来の潜像画像を組み合わせた図。
【符号の説明】
（Ａ），（Ａ’），（Ａ″）      潜像画像
（ｆ）                    万線を表す線
（ｇ）                    潜像画像となる成分の線
（１）（１’）              水平万線
（２）                    垂直万線
（Ｅ１）〜（Ｅ４）         潜像模様形成体
０〜１０                画線
【図１】
0003574825.tif 000002
【図２】
0003574825.tif 000003
【図３】
0003574825.tif 000004
【図４】
0003574825.tif 000005